(57)【要約】  表示装置の表示部材を照明する面光源装置は、低屈折率の層を挟んで重ねて配置された第１、第２導光板を有する。両導光板は、光入射側の側端面が互いに反対側に位置し、第１導光板の出射面と第２導光板の裏面が、低屈折率の層を挟んで対向し合うように配置される。各導光板には、光入射側から末端側に向かって順に出射抑制領域、出射漸増領域、出射促進領域が形成される。各光源群は発光色が互いに異なる少なくとも２つの点状光源からなるが、各出射抑制領域内で諸色光の混合が行われ、第２導光板の出射面から出力光の色ムラが防止される。
2007086456.tif 000002
【特許請求の範囲】
【請求項１】
第１の側端面、第１の出射面、及び、該第１の出射面と反対側に位置する第１の裏面を有する第１導光板と、
発光色が互いに異なる少なくとも２つの点状光源からなり、前記第１の側端面に沿って配置されるとともに、第１照明光を供給する第１光源群と、
第２の側端面、第２の出射面、及び、該第２の出射面と反対側に位置する第２の裏面を有する第２導光板と、
発光色が互いに異なる少なくとも２つの点状光源からなり、前記第２の側端面に沿って配置されるとともに、第２照明光を供給する第２光源群と、
前記第１導光板よりも低屈折率の層とを備えた面光源装置において、
前記第１導光板と前記第２導光板とは、前記層が前記第１の出射面と前記第２の裏面との間に介在し、且つ、前記第１の側端面と前記第２の側端面が互いに反対側に位置するように重ねて配置されており、
前記第１導光板は、前記第１の出射面からの前記第１照明光の光出射を抑制する第１の出射抑制領域と、前記第１の出射面からの前記第１照明光の光出射を促進する第１の出射促進領域と、前記第１の出射抑制領域と前記第１の出射促進領域とを繋ぐ第１の出射漸増領域とを有し、
前記第２導光板は、前記第２の出射面からの前記第２照明光の光出射を抑制する第２の出射抑制領域と、前記第２の出射面からの前記第２照明光の光出射を促進する第２の出射促進領域と、前記第２の出射抑制領域と前記第２の出射促進領域とを繋ぐ第２の出射漸増領域とを有し、
前記第１の出射抑制領域は、前記第１の出射漸増領域よりも前記第１の側端面に近い位置にあるとともに、前記第１の出射促進領域は、前記第１の出射漸増領域よりも前記第１の側端面から遠い位置にあり、
前記第２の出射抑制領域は、前記第２の出射漸増領域よりも前記第２の側端面に近い位置にあるとともに、前記第２の出射促進領域は、前記第２の出射漸増領域よりも前記第２の側端面から遠い位置にあることを特徴とする面光源装置。
【請求項２】
前記第２の出射面から出力される照明出力光が、白色光であることを特徴とする、請求項１に記載の面光源装置。
【請求項３】
前記第１導光板は、前記第１の側端面から離れるに従って厚さを漸減する楔形形状の導光板であり、
前記第２導光板は、前記第２の側端面から離れるに従って厚さを漸減する楔形形状の導光板であることを特徴とする、請求項１または請求項２に記載の面光源装置。
【請求項４】
前記第１導光板は、前記第１の出射促進領域において、厚さを前記第１の側端面から離れるに従って漸減しており、
前記第２導光板は、前記第２の出射促進領域において、厚さを前記第２の側端面から離れるに従って漸減していることを特徴とする、請求項１または請求項２に記載の面光源装置。
【請求項５】
前記第１導光板は、前記第１の側端面と反対側に位置する末端において遮光されており、
前記第２導光板は、前記第２の側端面と反対側に位置する末端において遮光されていることを特徴とする、請求項１または請求項２に記載の面光源装置。
【請求項６】
前記第１導光板は、前記第１の側端面と反対側に位置する末端において遮光されており、
前記第２導光板は、前記第２の側端面と反対側に位置する末端において遮光されていることを特徴とする、請求項３に記載の面光源装置。
【請求項７】
前記第１導光板は、前記第１の側端面と反対側に位置する末端において遮光されており、
前記第２導光板は、前記第２の側端面と反対側に位置する末端において遮光されていることを特徴とする、請求項４に記載の面光源装置。
【請求項８】
面光源装置と、該面光源装置からの出力光によって照明される表示部材とを備えた表示装置において、
前記面光源装置は、請求項１または請求項２に記載の面光源装置であることを特徴とする、前記表示装置。
【請求項９】
面光源装置と、該面光源装置からの出力光によって照明される表示部材とを備えた表示装置において、
前記面光源装置は、請求項３に記載の面光源装置であることを特徴とする、前記表示装置。
【請求項１０】
面光源装置と、該面光源装置からの出力光によって照明される表示部材とを備えた表示装置において、
前記面光源装置は、請求項４に記載の面光源装置であることを特徴とする、前記表示装置。
【請求項１１】
面光源装置と、該面光源装置からの出力光によって照明される表示部材とを備えた表示装置において、
前記面光源装置は、請求項５に記載の面光源装置であることを特徴とする、前記表示装置。
【請求項１２】
面光源装置と、該面光源装置からの出力光によって照明される表示部材とを備えた表示装置において、
前記面光源装置は、請求項６に記載の面光源装置であることを特徴とする、前記表示装置。
【発明の詳細な説明】
【技術分野】
【０００１】
本発明は、面光源装置及び該面光源装置を備えた表示装置に関し、例えば、カーナビゲーション装置、ビデオカメラ、デジタルカメラ、電子手帳、携帯電話機、携帯型電子端末装置、電子手帳、パーソナルコンピュータ、液晶テレビ等における面状照明手段（例えば、ＬＣＤパネルのバックライティングアレンジメント手段）、あるいは、同面状照明手段を含む表示装置に適用される。また、本発明は、広告パネル等の面状照明手段あるいは同面状照明手段を含む表示装置にも適用され得る。
【背景技術】
【０００２】
一般に、カーナビゲーション装置、ビデオカメラ、デジタルカメラ、電子手帳、携帯電話機、携帯型電子端末装置、電子手帳、パーソナルコンピュータ、液晶テレビ等の装置には、ディスプレイが装備されている。１つの典型的なタイプのディスプレイにおいては、表示部材として液晶表示パネルが採用され、同液晶表示パネルが、導光板を用いた面光源装置で照明される。導光板は、通常、側面近傍に配置された一次光源による光供給を受ける。従来、一次光源として棒状の蛍光ランプが広く使用されていた。蛍光ランプから導光板内に供給された光は、内部伝播の過程で出射面（メジャー面）から徐々に出射され、表示部材（液晶表示パネル）を照明する。【０００３】
ところが、一次光源として蛍光ランプを使用すると、蛍光ランプ内に水銀が含まれているため、廃棄に際して環境にかける負荷が大きい。また、消費電力が大きいという問題も起る。更に、液晶表示パネルによるカラー表示が一般化し、高い色再現性へのニーズが生じている。【０００４】
そこで、一次光源として、蛍光ランプに代えて、ＬＥＤのような点状光源を用いることが提案され、頻繁に採用されるようになっている。特に、青色発光ＬＥＤが製品化されてからは、これを利用して、白色の一次光を供給するＬＥＤ光源素子が利用できるようになった。これを「白色ＬＥＤ」と呼んでいる。【０００５】
白色ＬＥＤを一次光源に採用することで、低消費電力で、高密度実装（インバータを必要としない構造）が可能な面光源装置が実現している。下記特許文献１に開示された面光源装置はその例である。【０００６】
一方、近年、プラズマディスプレイのような色再現性に優れた表示装置が出現しており、液晶表示装置（液晶表示パネルを使用した表示装置）との間で画像表示品質が比較されるようになっている。そのため、液晶表示装置には、カラー表示品質（色再現性）についてよりシビアな要求がなされるようになっている。【０００７】
このような要求に応えるためには、Ｒ（赤），Ｇ（緑），Ｂ（青）の三原色のＬＥＤを複数個使用して白色光を得る方法が提案されている。この方法により、白色ＬＥＤを使用する場合よりも高い色再現性が得られることが知られている。【０００８】
このような、Ｒ，Ｇ，Ｂの３原色のＬＥＤを使用した従来技術は、下記特許文献２に開示されている。図１５には、この従来技術（第１従来技術）に従った面発光装置１００が示されている。面発光装置１００は、Ｒ，Ｇ，Ｂ各色のＬＥＤ１０４ｒ，１０４ｇ，１０４ｂを有する点光源モジュール１０４と、混合用導光板１０１と、導光板１０２と、リフレクター１０３を備えている。【０００９】
混合用導光板１０１は、点光源モジュール１０４からの各色の光を混ぜて白色化し、先端面１０６から出射する。この光は、リフレクター１０３により進行方向を１８０度変更され導光板１０２の端面１０７に案内する。端面１０７に案内された白色光は、端面１０７から導光板１０２内に入り、次いで、出射面１０８から面状に出射され、液晶パネル１１０に供給される。【００１０】
しかしながら、面光源装置１００では、各ＬＥＤ１０４から発せられた光の導光長が長くなると共に、リフレクター１０３の反射面を経て光の導光方向を１８０度変換させているため、光の利用効率が低くなり易く、高輝度の面状白色照明が望めない。【００１１】
なお、後述する本発明の実施形態に係る面光源装置と外観上類似する面光源装置（第２従来技術）が下記特許文献３に開示されている。図１６はその概略構造を示している。図１６に示すように、面光源装置２００は、２枚の導光板を重ねて使用している。この点に関する限り、面光源装置２００は本発明に従った面光源装置と類似しているように見える。しかし、面光源装置２００では、一次光源としての蛍光ランプ２０１が使用されている。また、重ね合わせられた両導光板２０２，２０３の裏面２０４，２０５全体にわたり、網点パターンが印刷されている。これは、単に出射輝度を均一化するためのものであり、Ｒ，Ｇ，Ｂを充分に混色することで白色化して出射させることを可能にする本発明の面光源装置２とは構成及び作用・効果が全く異なる。【００１２】
・特許文献１；特開平１０−９７２００号公報参照
・特許文献２；特開２００５−２７６７３４号公報
・特許文献３；特開平８−２４０７２１号公報
【発明の開示】
【００１３】
本発明の１つの目的は、発光色が互いに異なる少なくとも２つの点状光源を一次光源として用いた場合に、それら発光色が十分に混ぜられて色ムラの無い面状照明光が得られるように、面光源装置を改良することにある。また、本発明のもう１つの目的は、そのように改良された面光源装置を用いて高品質の表示を行える表示装置を提供することにある。
【００１４】
本発明の更にもう１つの目的は、上記改良を利用して、色ムラの無い白色の面状照明光が得られる面光源装置及び同面光源装置を用いて高品質の表示を行える表示装置を提供することにある。
【００１５】
本発明は先ず、第１の側端面、第１の出射面、及び、該第１の出射面と反対側に位置する第１の裏面を有する第１導光板と、発光色が互いに異なる少なくとも２つの点状光源からなり、前記第１の側端面に沿って配置されるとともに、第１照明光を供給する第１光源群と、第２の側端面、第２の出射面、及び、該第２の出射面と反対側に位置する第２の裏面を有する第２導光板と、発光色が互いに異なる少なくとも２つの点状光源からなり、前記第２の側端面に沿って配置されるとともに、第２照明光を供給する第２光源群と、前記第１導光板よりも低屈折率の層とを備えた面光源装置に適用される。
【００１６】
本発明の１つの特徴に従えば、前記第１導光板と前記第２導光板とは、前記層が前記第１の出射面と前記第２の裏面との間に介在し、且つ、前記第１の側端面と前記第２の側端面が互いに反対側に位置するように重ねて配置される。そして、前記第１導光板は、前記第１の出射面からの前記第１照明光の光出射を抑制する第１の出射抑制領域と、前記第１の出射面からの前記第１照明光の光出射を促進する第１の出射促進領域と、前記第１の出射抑制領域と前記第１の出射促進領域とを繋ぐ第１の出射漸増領域とを有する。
【００１７】
また、前記第２導光板は、前記第２の出射面からの前記第２照明光の光出射を抑制する第２の出射抑制領域と、前記第２の出射面からの前記第２照明光の光出射を促進する第２の出射促進領域と、前記第２の出射抑制領域と前記第２の出射促進領域とを繋ぐ第２の出射漸増領域とを有する。
【００１８】
そして、前記第１の出射抑制領域は、前記第１の出射漸増領域よりも前記第１の側端面に近い位置にあるとともに、前記第１の出射促進領域は、前記第１の出射漸増領域よりも前記第１の側端面から遠い位置にある。また、前記第２の出射抑制領域は、前記第２の出射漸増領域よりも前記第２の側端面に近い位置にあるとともに、前記第２の出射促進領域は、前記第２の出射漸増領域よりも前記第２の側端面から遠い位置にある。
【００１９】
ここで、前記第２の出射面から出力される照明出力光は、典型的には白色光である。また、前記第１導光板は、前記第１の側端面から離れるに従って厚さを漸減する楔形形状の導光板とし、前記第２導光板は、前記第２の側端面から離れるに従って厚さを漸減する楔形形状の導光板とすることができる。
【００２０】
あるいは、前記第１導光板として、前記第１の出射促進領域において、厚さを前記第１の側端面から離れるに従って漸減するものを採用し、前記第２導光板として、前記第２の出射促進領域において、厚さを前記第２の側端面から離れるに従って漸減しているものを採用しても良い。
【００２１】
更に、前記第１導光板は、前記第１の側端面と反対側に位置する末端において遮光され、前記第２導光板は、前記第２の側端面と反対側に位置する末端において遮光されるようにしても良い。
【００２２】
本発明は、面光源装置と、該面光源装置からの出力光によって照明される表示部材とを備えた表示装置にも適用される。本発明の特徴に従えば、面光源装置として、上述したいずれかの面光源装置が採用される。
【００２３】
本発明に従った面光源装置においては、第１導光板に第１の出射抑制領域が第１照明光の光の入射側に設けられているので、第１照明光の多くの部分が十分に混合されてから、第１の出射面から出射され、第２導光板に入り、第２の出射面から出射される。一方、第２導光板に第２の出射抑制領域が第２照明光の光の入射側に設けられているので、第２照明光の多くの部分が十分に混合されてから、第２の出射面から出射される。即ち、第１及び第２の出射抑制領域内に、複数の色の光が混ざり合う色混合領域が形成される。
【００２４】
また、第１導光板に設けられる第１の出射促進領域と、第２導光板に設けられる第２の出射促進領域とは、互いに逆側にあるため、第２の出射面からの光出射は、全体的に均一に起る。その結果、面光源装置の出力照明光（第２の出射面からの出射光）の色と強度は、全体的に均一なものとなる。
【００２５】
発光色の混合で白色光が生成されるように、第１光源群と第２光源群で使用される点状光源の発光色を選べば、面光源装置により色と明るさのムラが少ない照明出力光が得られる。
【００２６】
これら利点は、上記面光源装置の照明出力光で表示部材を照明する表示部材の表示品質を向上させる。特に、表示部材がカラー表示液晶表示パネルである場合に、高品質のカラー表示が可能になる。
【図面の簡単な説明】
【００２７】
【図１】本発明の実施形態に係る表示装置を示す分解斜視図である。
【図２】図１においてＹ方向に沿った表示装置の断面図である。
【図３】（ａ）は、図１に示した表示装置を示した平面図で、液晶表示パネル（被照明部材）、第１及び第２の光制御部材は取り除いて描かれている。（ｂ）は、複数のＬＥＤからの光の混合状態を示す同表示装置の部分的平面図である。
【図４】図１に示した表示装置に装備されている面光源装置の要部断面形状に対応させて、出射輝度曲線を示した図である。
【図５】（ａ）は、図１乃至図３（ａ）、（ｂ）に示した面光源装置の部分拡大断面図である。（ｂ）〜（ｄ）は、各々図５（ａ）に示した面光源装置の変形例１に従った４種の配置について説明する部分拡大断面図である。
【図６】本発明の変形例２に係る面光源装置の部分的断面図である。
【図７】本発明の変形例３に係る面光源装置の部分的断面図である。
【図８】本発明の変形例４に係る面光源装置の部分的断面図である。
【図９】本発明の変形例５に係る面光源装置の部分的断面図である。
【図１０】（ａ）は、本発明の変形例７に係る面光源装置の断面図である。（ｂ）は、（ａ）中のＡ部拡大図である。（ｃ）は（ａ）中のＢ部拡大図である。
【図１１】変形例７に係る面光源装置の模式的断面形状に対応させて、第２導光板からの出射光の輝度分布曲線を示した図である。
【図１２】（ａ）は、本発明の変形例８に係る面光源装置において、入射面に広角化手段を形成しないケースを想定して描いた平面図（第１導光板側は図示省略）である。（ｂ）は、変形例８と比較される参考例に係る面光源装置について説明する平面図（第１導光板側は図示省略）である。（ｃ）は、変形例８に係る面光源装置の平面図（第１導光板側は図示省略）である。（ｄ）は、（ｃ）の一部拡大図である。（ｅ）は広角化手段の他の形態を示す図（（ｄ）に対応する図）である。
【図１３】（ａ）は、図１２（ｄ）の要部を拡大して示す図である。（ｂ）は、（ａ）中のＤ１−Ｄ１線に沿った断面図である。
【図１４】（ａ）は、変形例８について行った測定の結果を説明するために、変形例８に係る面光源装置を第２導光板側から見て模式的に描いた平面図である。（ｂ）は、（ａ）において、第２導光板の中央部の複数箇所における色度測定から得られるｕ’値（ＣＩＥ  １９７６  ＵＣＳ色度図における赤−緑軸に関する座標値）を表わす線図である。（ｃ）は、図１４（ａ）において、第２導光板の中央部の複数箇所における色度測定から得られるｖ’値（ＣＩＥ  １９７６  ＵＣＳ色度図における黄−青軸に関する座標値）を表わす線図である。（ｄ）は、（ａ）において、第２導光板の入射面と反対側の端部の複数箇所における色度測定から得られるｕ’値（ＣＩＥ  １９７６  ＵＣＳ色度図における赤−緑軸に関する座標値）を表わす線図である。（ｅ）は、（ａ）において、第２導光板の入射面と反対側の端部の複数箇所における色度測定から得られるｖ’値（ＣＩＥ  １９７６  ＵＣＳ色度図における黄−青軸に関する座標値）を表わす線図である。
【図１５】第１従来技術に係る面光源装置の断面図である。
【図１６】第２従来技術に係る面光源装置の断面図である。
【発明を実施するための最良の形態】
【００２８】
（面光源装置及びこれを備えた表示装置の構成）
図１乃至図３（ａ）、（ｂ）には、本実施形態に係る表示装置１が示されている。図１は、表示装置１を示す分解斜視図であり、図２は、図１においてＹ方向に沿った断面図である。また、図３（ａ）は、表示装置１を示した平面図で、液晶表示パネル（被照明部材の例）３、第１及び第２の光制御部材４、５を取り除いて描かれた平面図である。そして、図３（ｂ）は、複数のＬＥＤからの光の混合状態を示す表示装置１の部分的平面図である。【００２９】
表示装置１は、面光源装置２によって面状に照明される液晶表示パネル３を有する。面光源装置２は、上下に重ね合わされて配置される第１導光板６及び第２導光板７と、第１導光板６及び第２導光板７の側端面（入射面＝第１及び第２の側端面）８に沿ってそれぞれ配置される点光源ユニット１０，１０と、反射シート１２と、第１の光制御部材４と、第２の光制御部材５とを備える。【００３０】
反射シート１２は、下側の導光板である第１導光板６の下面（＝第１の裏面）１６に沿って配置される。第１の光制御部材４は、上側の導光板である第２導光板７の上面（＝第２の出射面）１７に沿って配置される。第２の光制御部材５は、第１の光制御部材４の上側（外側）に重ねて配置される。【００３１】
点光源ユニット１０，１０は、一般に、発光色が互いに異なる少なくとも２つの点状光源からなる一次光源である。本実施形態では、Ｒ（赤），Ｇ（緑），Ｂ（青）の各原色の光を夫々放射するＬＥＤ１４ａ，１４ｂ，１４ｃが用いられる。各ユニット１０において、１個ずつのＬＥＤ１４ａ，１４ｂ，１４ｃは、１つのセットを形成する。各ユニット１０は、一般に、複数セットのＬＥＤ１４ａ，１４ｂ，１４ｃを備える。【００３２】
即ち、各入射面８に沿って、複数セットのＬＥＤ１４ａ，１４ｂ，１４ｃが交番的に整列して並ぶ。なお、図３（ａ）においては、各入射面８の両端近くの３つのＬＥＤ１４ａ，１４ｂ，１４ｃのみが図示され、他のＬＥＤは図示が省略されている。後述するように、第２導光板７の上面１７からは、ＬＥＤ１４ａ，１４ｂ，１４ｃの３原色光の合成（混合）により生成された白色光が、面光源装置２の発光面全域から高い均一度で出力される。【００３３】
第１導光板６は、入射面（第１の側端面）８とは反対側に位置する末端に末端側面１５を備える。同様に、第２導光板７は、入射面（第２の側端面）８とは反対側に位置する末端に末端側面１５を備える。そして、第２導光板７は、第１導光板６上に、第２導光板７の入射面（第２の側端面）８が第１導光板６の末端面（第１の末端面）１５に対応し、第２導光板７の末端面（第２の末端面）８が第１導光板６の入射面（第１の側端面）８に対応するように重ねて配置されている。
、（第１導光板及び第２導光板）
第１導光板６及び第２導光板７は、ポリメタクリル酸メチル（ＰＭＭＡ）、ポリカーボネート（ＰＣ）、シクロオレフィン系樹脂材料等の光透過性に優れた材料で形成される。第２導光板７の上面（第２の出射面）１７と反対側の面は、裏面（第２の裏面）１１であり、第１導光板６の上面（第１の出射面）１３と互いに対向し合っている。
図１〜図３（ａ）に示すように、第１導光板６及び第２導光板７は、四角形状の平面形状を持つとともに、各入射面８から離れるに従って厚さを減じている。換言すれば、第１導光板６及び第２導光板７は楔板形状を持つ光学部材である。各入射面８において、第１導光板６及び第２導光板７の厚さは最大となる。また、各末端面１５において、第１導光板６及び第２導光板７の厚さは最小となる。【００３４】
このように第１導光板６と第２導光板７とを組み合わせると、面光源装置２の厚み寸法（図１及び図２におけるＺ方向の寸法）を均一化し、小さくすることができ、従って、面光源装置２の小型化を図る上で有利である。【００３５】
図２に示したように、第１の出射面１３は第１の裏面１６に対して傾斜した傾斜面を提供する。同様に、第２の離面１１は第２の出射面１７に対して傾斜したもう１つの傾斜面を提供する。第２の裏面１１と第１の出射面１３との間には、薄い空気層が存在する。云うまでもなく、空気層の屈折率は略１．０に等しく、他の任意の光学材料の屈折率よりも小さく、例えば、第１導光板６の屈折率よりも小さい。【００３６】
ここで重要なことは、第１導光板６及び第２導光板７が、「十分な混色が行われる前の光出射」を抑制する手段を備えていることである。即ち、第１導光板６は、入射面８から末端面１５に向かう所定寸法（Ｌ１）の範囲において、裏面１６は平滑面とされている。これにより、第１の出射面１３からの光出射が抑えられる。その意味で、裏面１６のこの領域は、第１の出射面１３からの光出射を抑える出射抑制領域（第１の出射抑制領域）１８を提供している。【００３７】
同様に、第２導光板７は、入射面８から末端面１５に向かう所定寸法（Ｌ１）の範囲において、裏面１１は平滑面とされている。これにより、第２の出射面１７からの光出射が抑えられる。その意味で、裏面１１のこの領域は、第２の出射面１７からの光出射を抑える出射抑制領域（第２の出射抑制領域）１８を提供している。【００３８】
各光出射抑制領域１８，１８の所定寸法（Ｌ１）は、Ｒ，Ｇ，Ｂの各ＬＥＤ１４ａ〜１４ｃが充分に混合する（本実施形態では白色光化する）のに必要とする各入射面８からの距離である。今、ＬＥＤ１４ａ〜１４ｃの色が混ざり合いはじめる入射面８からの距離をＬ１’とすると、Ｌ１＞Ｌ１’とされている。距離Ｌ１’の値は例えば下記式で見積ることが可能である。【００３９】
Ｌ１’＝Ｐ／（２・ｔａｎθ）
図３（ｂ）に示したように、上式におけるθは、各ＬＥＤ１４ａ，１４ｂ，１４ｃ……からの出射光が入射面８から入射した後の出射面１３と平行な方向への入射光の広がり角（最強強度の半値以上の出射強度を与える角度範囲の大きさ）である。また、Ｐは、同一色のＬＥＤピッチである。ＬＥＤ１４ａ−１４ａ間距離をＰａ，ＬＥＤ１４ｂ−１４ｂ間距離をＰｂ、ＬＥＤ１４ｃ−１４ｃ間距離をＰｃとした時、Ｐａ＝Ｐｂ＝Ｐｃであれば、Ｐ＝Ｐａ（＝Ｐｂ＝Ｐｃとすることができる。また、Ｐａ、Ｐｂ、Ｐｃに差がある場合は、Ｐａ、Ｐｂ、Ｐｃの最大値をＰとすることが望ましい。【００４０】
もし、入射面８やその近傍に広がり角θを大きくするような工夫がなされている場合には、そのような工夫がなされていない場合のＬ１’よりも小さな値のＬ１’とすることができる。但し、Ｌ１’は同一色の光が混ざり合いはじめる距離（入射面８からの距離）であるため、充分、白色光化するために必要な光の出射抑制領域１８の所定寸法Ｌ１はＬ１＞Ｌ１’であることが好ましい。一般には、第１及び第２導光板６，７の厚さ寸法やＬＥＤ１４ａ〜１４ｃの発光特性に応じて最適の寸法に調整される。【００４１】
ここで、第１導光板６及び第２導光板７の入射面８の長手方向（Ｘ方向）寸法をＬ２とする。すると、第１導光板６及び第２導光板７の光の出射抑制領域１８，１８は、（Ｌ１）×（Ｌ２）の面積の領域となる。また、（Ｌ１’）×（Ｌ２）の面積の領域が光混合前領域となる。【００４２】
第１の導光板６の裏面１６には、入射面（第１の側端面）８から離れた出射促進領域（第１の出射促進領域）２１が形成されている。また、第１の出射抑制領域１８と第１の出射促進領域２１の間には、出射漸増領域（第１の出射漸増領域）２０が形成されている。同様に、第２の導光板７の裏面１１には、入射面（第２の側端面）８から離れた出射促進領域（第２の出射促進領域）２１が形成されている。また、第２の出射抑制領域１８と第２の出射促進領域２１の間には、出射漸増領域（第２の出射漸増領域）２０が形成されている。【００４３】
各出射促進領域２１は、各末端側面１５から所定寸法（Ｌ１）の範囲に形成されている。その結果、図２に示すように、第１の出射抑制領域１８は第２の出射促進領域２１と重なり合い、第２の出射抑制領域１８は第１の出射促進領域２１と重なり合う位置関係となる。また、第１及び第２の出射漸増領域２０も、重なり合う位置関係となる。【００４４】
各出射促進領域２１には、出射面１３あるいは１７からの出射を促す出射促進手段が形成されている。出射促進手段としては、シボ面，畝状の微小プリズム状突起，ブラスト面，三角錐や円錐等の微小突起又は微小凹部等の粗面、光の乱反射性を持つインク印刷面等であり、一般に、出射面１３あるいは１７からの光の出射を促すものであれば良い。【００４５】
各出射漸増領域２０は、各出射抑制領域１８と各出射抑制領域２１とを接続する「中間的な領域」であり、各入射面８から離れるに従って徐々に出射促進能力を増す領域である。各出射漸増領域２０と各出射抑制領域１８との境界、及び、各出射漸増領域２０と各出射促進領域２１との境界において、出射抑制あるいは出射促進の能力は急変しないことが好ましい。【００４６】
換言すれば、各出射漸増領域２０は各入射面８から離れるに従って出射抑制能力を徐々に失い、出射促進領域２１に近い程、出射促進の能力が高まる。【００４７】
そのために、各出射漸増領域２０には、上記した出射促進手段の形成密度が疎から密に滑らかに漸増するように形成されている。【００４８】
各出射促進領域２１と各出射漸増進領域２０との境界において、出射促進手段の形成密度は不連続に（即ち、ステップワイズに）変化しないことが好ましい。また、各出射漸増領域２０における出射促進手段の形成密度は、各出射漸増領域２０と各出射促進領域２１との境界から、各出射漸増領域２０と各出射抑制領域１８との境界に向かって漸減し、各出射漸増領域２０と各出射抑制領域１８との境界では０となる。【００４９】
なお、各出射促進領域２１に形成される出射促進手段と各出射漸増領域２０に形成される出射促進手段は、面光源装置２上での視認性と出射輝度について違和感のない限り、異なる種類のもの（例えば、シボ面と畝状の微小プリズム状突起面）であっても良い。【００５０】
（第１の光制御部材／第２の光制御部材）
第１及び第２の光制御部材４、５は、光透過性に優れた樹脂材料（例えば、ポリエチレンテレフタレート（ＰＥＴ）、ＰＭＭＡ、ＰＣ）でフィルム状に形成されている。図１乃至図２に示すように、各光制御部材４、５の平面形状は、第２導光板７の出射面１７とほぼ同じで四角形状である。
本実施形態においては、第１の光制御部材４は光拡散機能を有し、第２の光制御部材５は光の進行方向を修正する機能を有する。
第１の光制御部材４の、内側面（出射面１７に対向する面）と外側面面（第２の光制御部材５に対向する面）の少なくとも一方の面は、粗面になっており、それにより出射面１７からの出射光を拡散して第２の光制御部材５に供給する。また、この粗面による拡散作用により、第１導光板６及び第２導光板７に形成された出射促進手段（粗面等）が液晶表示パネル３の外側から視認され難くする。【００５１】
第２の光制御部材５は、図１乃至図２に示すように、その外側面（液晶表示パネル３に対向する面；上面）がプリズム面を提供する。このような光制御部材は、上向きプリズムシートと呼ばれる。プリズム面には、第１導光板６及び第２導光板７の各入射面８，８の長手方向（Ｘ方向）に延びる断面略三角形状のプリズム状突起２２が畝状に多数連続して形成されている。第２の光制御部材５は、周知の機能により、第１の光制御部材４によって拡散された光の進行方向を、出射面１７の正面方向寄りに偏向し、液晶表示パネル３の背面に、垂直あるいは垂直に近い角度で入射する光を増大させる。【００５２】
次に、面光源装置２の出射面１７からの出射光の輝度特性について図４を参照して説明する。図４には、３つの点灯条件（第１点灯条件〜第３点灯条件）の下での輝度特性曲線（実線Ａ、実線Ｂ及び破線Ｃ）が描かれている。各曲線Ａ、Ｂ、Ｃが得られる点灯条件は下記の通りである。【００５３】
・実線Ａ；第１条件＝第２導光板７に光供給を行う点光源ユニット１０を構成するＬＥＤ１４ａ〜１４ｃのみを点灯（第２照明光のみ供給）。【００５４】
・実線Ｂ；第１点灯条件＝第１導光板６に光供給を行う点光源ユニット１０を構成するＬＥＤ１４ａ〜１４ｃのみを点灯（第１照明光のみ供給）。【００５５】
・破線Ｃ；両点光源ユニット１０，１０の各ＬＥＤ１４ａ〜１４ｃを点灯（第１照明光及び第２照明光を供給）。【００５６】
図４から次のことが理解される。【００５７】
（１）実線Ａが示すように、第２導光板７の出射抑制領域（第２の出射抑制領域）１８においては殆ど出射が起らない。即ち、第２導光板７の出射抑制領域（第２の出射抑制領域）１８においては、第２の出射面１７からの第２照明光の光出射が抑制されている。出射漸増領域（第２の出射漸増領域）２０では、第２の出射抑制領域１８から離れるに従って滑らかに出射輝度が漸増する。第２の出射促進領域２１に入ると、出射輝度は略一定となる（末端の側端面１５に向かって僅かに低下）。【００５８】
（２）実線Ｂの描く形状は、第１導光板６の入射面８に直交する方向の中央ライン（ＣＬ）を基準にして、実線Ａと略左右対称である。即ち、第１導光板６の出射抑制領域（第１の出射抑制領域）１８においては、第１の出射面１３からの第１照明光の光出射が抑制されている。出射漸増領域（第１の出射漸増領域）２０では、第１の出射抑制領域１８から離れるに従って滑らかに出射輝度が漸増する。第１の出射促進領域２１に入ると、出射輝度は略一定となる。【００５９】
（３）破線Ｃの描く形状は、実線Ａと実線Ｂを加算的に合成した形状となる。シンボリックに表現すれば、Ｃ＝Ａ＋Ｂである。破線Ｃは、第１導光板６の入射面８に直交する方向（Ｙ方向）の中央線（ＣＬ）において最も出射輝度が高く、そこから各末端の側端面１５に向かって僅かに出射輝度が低下する傾向を示すが、全体としてほぼ一定の出射輝度が得られる。【００６０】
このように、本実施形態では広範囲にわたって均一な出射輝度が得られる。また、前述した従来技術（面光源装置１００）と比べて光の利用効率が高い。なぜならば、面光源装置１００では、混合用導光板１０１と導光板１０２の内部を導光することで導光長が面光源装置２の場合と比べて大きくなり、光の利用効率が低下し易いからである。更に、図１５に示すように、リフレクター１０３による光の進行方向の１８０度変更も、光の利用効率を低下させる。面光源装置２では、このようなリフレクターによる光の進行方向の１８０度変更は不要である。【００６１】
更に、本実施形態によれば、面光源装置２の発光面積を従来技術と同様とした条件下で、厚さを減じ、一対（２個）の点光源ユニット１０を配置できる。従って、面光源装置及び表示装置のコンパクト化が容易となるとともに、ＬＥＤ群の発光色の混合（混色）で得られる光（本実施形態では白色光）の出射輝度が高められる。【００６２】
また更に、本実施形態によれば、第１照明光の光の多くの部分は、第１導光板６の入射面８の近傍に形成された第１の出射抑制領域１８の作用により、発光色が十分に混ぜられてから、第１の出射漸増領域面２０及び第１の出射促進領域面２１の上方の出射面１３から出射され、第２の導光板７に供給される。この光の多くは、出射面１７から出射される。これを第１出射光（第１照明光由来の出射光）と呼ぶことにする。【００６３】
一方、第２照明光の光の多くの部分は、第２導光板６の入射面８の近傍に形成された第２の出射抑制領域１８の作用により、発光色が十分に混ぜられてから、第２の出射漸増領域面２０及び第２の出射促進領域面２１の上方の出射面１７から出射される。これを第２出射光（第２照明光由来の出射光）と呼ぶことにする。【００６４】
結局、出射面１７から、第１出射光と第２出射光が出射される。従って、第１出射光と第２出射光いずれも、混色不足の光となり難い。本実施形態の場合、混色で白色光が生成されるので、出射面１７から色ムラが抑えられた均一な白色光が出射される。【００６５】
尚、既述の通り、本実施形態に係る面光源装置２と外観上類似する面光源装置（第２従来技術）が知られているが、面光源装置２とは構成及び作用・効果が全く異なる。
【００６６】
（変形例１）
［図５］（ａ）は、図１乃至図３（ａ）、（ｂ）に示した面光源装置２の部分拡大断面図である。図５（ｂ）〜図５（ｄ）は、各々図５（ａ）に示した面光源装置２の変形例１に従った４種の配置について説明する部分拡大断面図である。なお、説明の便宜上、図５（ａ）〜（ｄ）では、面光源装置２の、第２導光板７の入射面８側が部分的に拡大描示されている。【００６７】
図５（ｂ），（ｃ）を参照すると、第２照明光を供給する点光源ユニット１０のフレーム２３が配置され、その下端側に、第１導光板６の末端面１５の全面に密接して遮光するスカート部２４が形成されている。これにより、第１導光板６の末端面１５からの漏光及び第１導光板内への入射が防止される。なお、フレーム２３はプラスチック製又は金属製であって良い。【００６８】
また、図示しないが同様の態様で、第１照明光を供給する点光源ユニット（１０）のフレーム（２３）の上端側に、第２導光板７の末端面（１５）の全面に密接して遮光するスカート部（２４）が形成されていいる（図２参照）。それにより、第２導光板６の末端面１５からの漏光及び第２導光板内への入射が防止される。【００６９】
また、図５（ｃ）におけるフレーム２３が備えるスカート部２４を削除し、代わりに、図５（ｄ）のように上下対称形状とし、フレーム２３の庇部２５，２５で入射面８を挟むようにしても良い。この場合も、末端面１５経由で導光板６あるいは７内へ光が入ることが防止される。
変形例１によれば、第１及び第２の出射促進領域２１の上方の出射面１３及び１７から出射される光（十分に混色された光；本実施形態では白色光）に、余分な色の光（末端面１５から入射する十分に混色されいない光）が加わることが回避される。従って、より一層均質な混色光（本実施形態では白色光）が出射面１７から出射される。【００７０】
尚、本変形例１において、点光源ユニット１０のフレーム２３のスカート部２４を形成しない上端側は、第２導光板７の入射面８の上端に突き当てるか（図５（ｂ））、又は、第２導光板７の入射面８近傍の出射面１７に庇部２５を密接係合させる（引っかける）ようになっている。【００７１】
また、図５（ｂ），（ｃ），（ｄ）に示すフレーム２３の構成を、第１導光板６の図示しない点光源ユニットのフレームに変形適用することもできる。
【００７２】
（変形例２）
図６は、図１乃至図３（ａ）、（ｂ）に示した面光源装置２の変形例２に係る部分的断面図である。図６を参照すると、第１導光板６の末端面１５が第２導光板７の入射面８よりもＹ方向に若干引っ込めて位置されている。そして、第２照明光が、第１導光板６の末端面１５から直接第１導光板６内に入らないようになっている。なお、図示しないが、第２導光板７の末端面１５は、第１導光板６の入射面８よりもＹ方向に引っ込めて位置させている。それにより、第１照明光が、第２導光板７の末端面１５から直接第２導光板７内に入らないようになっている。変形例２においても変形例１と同様の作用・効果が期待できる。
【００７３】
（変形例３）
図７は、図１乃至図３（ａ）、（ｂ）に示した面光源装置２の変形例３について説明する図である。図７を参照すると、面光源装置２の第１導光板６及び第２導光板７は、矩形の断面形状を有し、出射面１３と裏面１６は互いに平行に延在し、出射面１７と裏面１１が平行に延在している。これにより、面光源装置２の厚さ寸法は増大する。しかし、第１導光板６及び第２導光板７の入射面８近傍における混色不足（本実施形態では白色化不足）の光の出射がより効果的に抑えられ、より一層均質に混色（本実施形態では白色化）された光の出射が期待できる。
【００７４】
（変形例４）
図８は、図１乃至図３（ａ）、（ｂ）に示した面光源装置２の変形例４について説明する図である。図８を参照すると、第１導光板６及び第２導光板７の光の出射抑制領域１８における出射面１３，１７と裏面１６，１１とが各々平行に形成されている。第１導光板６及び第２導光板７は、各出射漸増領域２０と各出射促進領域２１で、各入射面８から遠ざかるにしたがって厚さを漸減している。更に、第１導光板６及び第２導光板７の楔形形状を形作る裏面１６，１１の傾斜角度は、末端面１５に近い部分において大きくしてある。このような部分的楔形状により、光の出射光量が僅かに不足する傾向がある第１導光板６の入射面８寄りの位置及び末端面１５寄りの位置における出射光量が若干増加する。本変形例４の面光源装置２においても、前述の各面光源装置２と同様の作用・効果を得ることができる。【００７５】
（変形例５）
図９は、図１乃至図３（ａ）、（ｂ）に示した面光源装置２の変形例５について説明する図である。図９を参照すると、第１導光板６及び第２導光板７の光の各出射漸増領域２０に変形が施されている。先ず、第１導光板の出射漸増領域（第１の出射漸増領域）２０は、入射面８側の端部（裏面１６上）から、末端面１５側の端部（出射面１３上）まで斜めに走る区分線２６によって２つの楔形状領域（断面は三角形状）に区分されている。これら２つの楔形状領域の内、図９において下側の楔形状領域域には多数の光散乱子が混入され、上側の楔形状領域には光散乱子は混入されていない。【００７６】
一方、第２導光板の出射漸増領域（第２の出射漸増領域）２０は、入射面８側の端部（裏面１１上）から、末端面１５側の端部（出射面１７上）まで斜めに走る区分線２５によって２つの楔形状領域（断面は三角形状）に区分されている。これら２つの楔形状領域の内、図９において下側の楔形状領域には多数の光散乱子が混入され、上側の楔形状領域には光散乱子は混入されていない。なお、第１導光板及び第２導光板のマトリックス（基材）は、透明な樹脂である。また、光散乱子としては、その樹脂と屈折率が異なる材料の微粒子を用いることができる。【００７７】
本変形例５では、第１導光板６及び第２導光板７の各出射漸増領域２０における光散乱能力が、各出射抑制領域１８から各出射促進領域２１に向かって漸増し、それに従って、出射輝度も漸増する。なお、変形例５において、裏面１６、１１は各出射漸増領域２０に対応する区間において、出射抑制領域１８と同様の平滑面であって良い。【００７８】
（変形例６）
これまでの諸例では、発光色が互いに異なる点状光源として、Ｒ（赤），Ｇ（緑），Ｂ（青）の各原色のＬＥＤ１４ａ，１４ｂ，１４ｃを使用する態様を例示されたいる。しかし、これは本発明を限定しない。例えば、発光色の色合いに小さなばらつきのある複数の白色点状光源（白色ＬＥＤ）を各原色のＬＥＤ１４ａ，１４ｂ，１４ｃに代えて採用しても良い。即ち、市販されている白色ＬＥＤは、多くの場合、色合いに若干のばらつきがある。例えば、赤みがかった白色光、青みがかった白色光、緑がかった白色光、黄色がかった白色光等である。そのような場合、例えば、ランダムに選んだ白色光ＬＥＤを原色の白色ＬＥＤ１４ａ〜１４ｃに代えて使用しても、前述した混色効果（十分に混色してから出射が起ること）により、色合いのばらつきは目立たない。【００７９】
これに対して従来は、特定の色合いのもの（例えば青みがかった白色光の白色ＬＥＤのみ）を選別して使用することで、色合いのばらつきを目立たなくしていた。しかし、そのような選別作業には多大の労力を要する。本発明を適用すれば、発光色の色合いにばらつきのある複数の点状光源（例えば白色ＬＥＤ）を、上記ような選別なしで使用しても、色合いのばらつきは顕在化しない。【００８０】
（変形例７）
図１０（ａ）は、変形例７に係る面光源装置２断面図であり、図１０（ｂ）は、図１０（ａ）中のＡ部拡大図である。また、図１０（ｃ）は図１０（ａ）中のＢ部拡大図である。更に、図１１は、変形例７に係る面光源装置２の模式的断面形状に対応させて、第２導光板７からの出射光の輝度分布曲線を示した図である。【００８１】
こららの図を参照すると、複数のＬＥＤ１４によって構成される点光源ユニット１０が、第１導光板６及び第２導光板７の入射面８に沿って配置されている。変形例７の特徴に従えば、各導光板６，７の入射面８の上端の近傍に、第１反射面３０，３１が形成され、下端の近傍に、第２反射面３２，３３が形成されている。【００８２】
反射面３０，３２は、図１０（ｂ）に示されているように、裏面１６と平行な仮想平面３４に対し、各々δの角度をなすような傾斜面を提供する。但し、反射面３０の傾斜と、反射面３２の傾斜は逆向きであり、入射面８から離れるに従って第１導光板６が厚さを漸増するように形成されている。【００８３】
一方、反射面３１，３３も、図１０（ｃ）に示されているように、出射面１７と平行な仮想平面３５に対し、各々δの角度をなすような傾斜面を提供する。反射面３１の傾斜と、反射面３３の傾斜は逆向きであり、入射面８から離れるに従って第２導光板７が厚さを漸増するように形成されている。【００８４】
本例では、図１０（ａ），（ｂ）に示すように、第１導光板６は、第１反射面３０及び第２反射面３２が形成された範囲（入射面８から所定寸法Ｍ１だけ離れた位置までの範囲）において、入射面８から図１０（ａ）の矢印Ｘ１方向に離れるにしたがって板厚を漸増させている。また、第１反射面３０及び第２反射面３２が消失した位置から図１０（ａ）の矢印Ｘ１方向に向かうにしたがって板厚が漸減している。【００８５】
一方、第２導光板７は、図１０（ａ），（ｃ）に示すように、第１反射面３１及び第２反射面３３が形成された範囲（入射面８から所定寸法Ｍ１だけ離れた位置までの範囲）において、入射面８から図１０（ａ）の矢印Ｘ２方向に離れるにしたがって板厚を漸増させている。また、第１反射面３１及び第２反射面３３が消失した位置から図１０（ａ）の矢印Ｘ２方向に向かうにしたがって板厚を漸減させている。
本変形例７においては、第１反射面３０，３１及び第２反射面３２，３３が形成されているために、各導光板６，７内を伝播する内部伝播光がそれら反射面で内部反射した時、内部反射後の進行方向は、それら反射面（逆傾斜面）が存在しない場合（図２（ａ）参照）と比べて、裏面１６あるいは出射面１７と平行な方向に近くなる。【００８６】
図１０（ｂ）において、Ｈａは反射面３０，３２が無い場合の内部反射光の進行方向を例示しており、Ｈｂは反射面３０，３２が存在する変形例７における内部反射光の進行方向を例示している。また、図１０（ｃ）において、Ｈａは反射面３１，３３が無い場合の内部反射光の進行方向を例示しており、Ｈｂは反射面３１，３３が存在する変形例７における内部反射光の進行方向を例示している。【００８７】
云うまでもなく、ＨｂはＨａよりも導光板６あるいは７から脱出し難い。従って、各出射抑制領域１８における出射面１３あるいは出射面１７からの出射（自然出射）が、変形例７ではより効果的に抑制できる。【００８８】
変形例７は、導光板６，７が楔形状の場合（図２（ａ）参照）に適している。今、第１導光板６の出射面１３の傾斜角度及び第２導光板７の裏面１１の傾斜角を共にαとすると、αが大きい時（急傾斜）に特に変形例７の利点が発揮される。【００８９】
即ち、傾斜角αが大きい時には、出射面１３と裏面１６における繰り返し内部反射、及び、出射面１７と裏面１１における繰り返し内部反射が、各入射面８の近傍で過剰に起こり、出射抑制領域１８においても出射面１３あるいは出射面１７からの自然出射が惹起される虞がある。これは、入射面８の近傍で、出射面１３あるいは出射面１７に対する内部入射角が臨界角以下になり易くなるためである。【００９０】
以上説明したように、本変形例７の適用により、導光板６，７の内部伝播光が、入射面８の近傍で、出射面１３あるいは出射面１７に対して臨界角以下の内部入射角で内部入射する現象が抑えられる。その結果、各出射抑制領域１８がより良好に機能し、発光色が十分に混ざる前の出射が抑制され、色ムラはより目立たなくなる。【００９１】
なお、図１０（ｂ），（ｃ）には数値が併記されている。これら数値は、本変形例の理解をより一層容易にするための例示である。図１０（ｂ），（ｃ）に示すように、第１導光板６及び第２導光板７は、入射面８の板厚が２．５３ｍｍで、δが４°、Ｍ１が３ｍｍとなるように、反射面３０〜３３が形成されている。【００９２】
これら諸数値はあくまで例示であり、各導光板６，７の発光面積等の各種設計条件に応じて最適の数値が設定されることが好ましい。
（変形例８）
図１２（ａ）は、変形例８に係る面光源装置２において、入射面に広角化手段を形成しないケースを想定して描いた平面図で、第１導光板６側は図示を省略されている。図１２（ｂ）は、変形例８と比較される参考例に係る面光源装置２について説明する平面図で、第１導光板６側は図示を省略されている。また、図１２（ｃ）は、変形例８に係る面光源装置２の平面図で、第１導光板６側は図示を省略されている。そして、図１２（ｄ）は、図１２（ｃ）の一部拡大図である。また、図１２（ｅ）は広角化手段の他の形態を示す図（図１２（ｄ）に対応する図）である。【００９３】
そして、図１３（ａ）は、図１２（ｄ）の要部を拡大して示す図であり、図１３（ｂ）は、図１３（ａ）中のＤ１−Ｄ１線に沿った断面図である。【００９４】
図１２（ａ）を参照すると、第２導光板７の入射面８には広角化手段が形成されていない面光源装置２、即ち、変形例８に係る変形が施される前の面光源装置２が示されている。【００９５】
図１２（ｂ）を参照すると、ＬＥＤ１４と一対一で対向するような広角化手段４０が第２導光板７の入射面８に形成されている。図１２（ｃ）を参照すると、点光源ユニット１０を構成する複数のＬＥＤ１４のうちの両端部に位置するＬＥＤ１４に対向するように広角化手段４０が配置されている。図１２（ｄ）には、図１２（ｃ）における広角化手段４０が拡大して示されている。【００９６】
また、図１２（ｅ）は、図１２（ｄ）の広角化手段４０とは異なる構造の広角化手段４０を例示している。【００９７】
図１２（ｃ）に示した例では、第２導光板７の入射面８は、その長手方向両端部に配置されたＬＥＤ１４と対応する部分に広角化手段４０が配置されている。この広角化手段４０により、ＬＥＤ１４からの光Ｈ’は、第２導光板７の内部に入射する後に入射面８の長手方向寄りに大きく広がるが（図１３（ａ）の光Ｈ参照）、第２導光板７の板厚方向には広がらない（図１３（ｂ）のεに変化がない）ように導光される。
入射面８の広角化手段４０としては、平面形状が略円弧形状の凹み４１（図１２（ｄ）参照）、又は平面形状が略三角形状の微小突起が複数連続する粗面４２（図１２（ｅ）参照）等が採用可能である。広角化手段４０としての凹み４１及び粗面４２を構成する微小突起の側面は、入射面８と直交する出射面１７と直交するように形成される（図１３（ｂ）参照）。【００９８】
比較のために、広角化手段４０を第２導光板７の入射面８に何等形成しない面光源装置２について、図１２（ａ）を参照して考察する。【００９９】
図１２（ａ）に示した面光源装置２では、点光源ユニット１０を構成する個々のＬＥＤ１４からの出射プロファイルやそれらＬＥＤ１４の並べ方によって、第２導光板７の入射面８の長手方向両端部に配置されるＬＥＤ１４からの光が第２導光板７の内部で他のＬＥＤ１４からの光と混ざりにくい。その結果、入射面８の長手方向両端部側の出射光の混色（例えば白色化）が不充分となり易い。【０１００】
一方、本変形例８によれば、第２導光板７の入射面８の両端部側に配置されるＬＥＤ１４からの光は、広角化手段４０によって第２導光板７の入射面８の長手方向寄りに大きく広げて導光される（図１３（ａ）参照）。従って、他のＬＥＤ１４からの光と広い範囲で混色可能となり、色分布のばらつきを少なくする上で有利である。【０１０１】
次に、図１４（ａ）は、変形例８について行った測定の結果を説明するために、変形例８に係る面光源装置２を第２導光板側から見て模式的に描いた平面図である。測定結果は、図１４（ｂ）〜図１４（ｅ）に、規格ＣＩＥ  １９７６に従ったＵＣＳ色度図を用いて示されている。各図の表示内容は下記の通りである。【０１０２】
・図１４（ｂ）；図１４（ａ）において、第２導光板７の中央部の複数箇所における色度測定から得られるｕ’値（ＣＩＥ  １９７６  ＵＣＳ色度図における赤−緑軸に関する座標値）を表わす線図である。【０１０３】
・図１４（ｃ）；図１４（ａ）において、第２導光板７の中央部の複数箇所における色度測定から得られるｖ’値（ＣＩＥ  １９７６  ＵＣＳ色度図における黄−青軸に関する座標値）を表わす線図である。【０１０４】
・図１４（ｄ；図１４（ａ）において、第２導光板７の入射面８と反対側の端部の複数箇所における色度測定から得られるｕ’値（ＣＩＥ  １９７６  ＵＣＳ色度図における赤−緑軸に関する座標値）を表わす線図である。【０１０５】
・図１４（ｅ）は、図１４（ａ）において、第２導光板７の入射面８と反対側の端部の複数箇所における色度測定から得られるｖ’値（ＣＩＥ  １９７６  ＵＣＳ色度図における黄−青軸に関する座標値）を表わす線図である。【０１０６】
なお、図１４（ｂ）〜図１４（ｅ）の横軸は、入射面８に平行な第２導光板７の幅方向における位置を示す。また、これら図１４（ｂ）〜図１４（ｅ）において、点線及び●は入射面８に凹み４１を形成しない面光源装置２（図１２（ａ）参照）のｕ’，ｖ’を示すものである。また、一点鎖線及び■は入射面８に各ＬＥＤ１４に対応させて凹み４１を形成した面光源装置２（図１２（ｂ）参照）のｕ’，ｖ’を示すものである。更に、実線及び▲は本変形例に係る面光源装置２（図１２（ｃ）参照）のｕ’，ｖ’を示すものである。【０１０７】
これら図１４（ｂ）〜図１４（ｅ）に示すように、本変形例に係る面光源装置２（図１２（ｃ）参照）によれば、入射面８が平面である場合（図１２（ａ）参照）や入射面８に全てのＬＥＤ１０に対応させて凹み４１を形成する場合（１２（ｂ）参照）に比較し、入射面８に平行な断面上における色度の差を小さく抑えることができる。【０１０８】
なお、本変形例に係る面光源装置２は、第２導光板７側を例にして説明したが、第１導光板側にも同様に適用しても良い。その場合、第１導光板６の入射面８に対向して配置される複数のＬＥＤ１４のうちの両端部のＬＥＤに対応する広角化手段４０が、第１導光板６の入射面８に形成される。【０１０９】
（その他の変形例）
以上説明した実施形態及び諸変形例はいずれも本発明に従った態様の例示である。そして、本発明には例えば次のような変形も許容される。【０１１０】
（Ａ）第２の光制御部材５を上向きプリズムシートから下向きのプリズムシートに変更しても良い。下向きのプリズムシートは、第１の光制御部材４に対面する側の面（内側面）が多数のプリズム状突起を備える。【０１１１】
（Ｂ）上記（Ａ）で採用される下向きのプリズムシートの外側に、下向きプリズムシートのプリズム状突起と直交する方向に延びるプリズム状突起が形成された第３の光制御部材（上向きプリズムシート）を配置しても良い。【０１１２】
一般に、配置されるプリズムシートの枚数、プリズム状突起の延びる方向、プリズム状突起の形状については、面光源装置２に要求される発光特性に応じて、適宜変更されて良い。場合によっては、プリズムシートの配置が省略されることもあり得る。【０１１３】
（Ｃ）第１導光板６の出射面１３側に、必要に応じて、偏光分離シートを配置しても良い。この場合、偏光分離シートにより、必要とする偏光成分のみを出射光として利用できる。【０１１４】
（Ｄ）上述の実施形態及び変形例において、第１導光板６及び第２導光板７は、その裏面１６，１１側に出射促進手段を形成する態様が例示されている。しかし、これは本発明を限定しない。例えば、裏面１６に代えて出射面１３に出射促進手段（例えば粗面）を形成しても良い。同様に、裏面１１に代えて出射面１７に出射促進手段（例えば粗面）を形成しても良い。
（Ｅ）上述の実施形態及び変形例では、点光源ユニット１０として、Ｒ，Ｇ，Ｂの各ＬＥＤ１４ａ，１４ｂ，１４ｃを複数セット配置する態様を例示した。しかし、これは本発明を限定しない。例えば、Ｒ，Ｇ，Ｂ以外の色のＬＥＤを適宜使用しても良い。一般に、組み合わせられる発光色は、出射面１７から出射される光の希望色に応じて選択される。【０１１５】
多くの場合、上述の実施形態及び変形例で説明したように、出射面１７から出射される光の希望色は白色光である。【０１１６】
その場合、混色で白色光が生成されるように、第１光源群及び第２光源群の点状光源の組み合わせが選択される。Ｒ、Ｇ、Ｂの原色発光のＬＥＤ１４ａ〜１４ｃの使用はその典型例である。周知のように、カラー表示用ＬＣＤパネルのバックライティングには、白色光が利用される。【０１１７】
（Ｆ）反射シート１２は省略され得る。例えば、面光源装置２を収容するケース内面が光反射性に優れている場合、ケース内面を反射シート１２に代えて利用できる。【０１１８】
（Ｇ）本発明に従った面光源装置２あるいは表示装置１は、上述の実施形態及び変形例で説明した姿勢以外の姿勢で使用され得る。換言すれば、上述の実施形態及び変形例の説明中における上下の表現は、説明を容易にするための表現である。例えば、面光源装置２から下方に向けて照明光を出力し、同照明光で、面光源装置２の下方に配置された液晶表示パネル３をバックライティングしても良い。
【図１】
2007086456.tif 000003
【図２】
2007086456.tif 000004
【図３】
2007086456.tif 000005
【図４】
2007086456.tif 000006
【図５】
2007086456.tif 000007
【図６】
2007086456.tif 000008
【図７】
2007086456.tif 000009
【図８】
2007086456.tif 000010
【図９】
2007086456.tif 000011
【図１０】
2007086456.tif 000012
【図１１】
2007086456.tif 000013
【図１２】
2007086456.tif 000014
【図１３】
2007086456.tif 000015
【図１４】
2007086456.tif 000016
【図１５】
2007086456.tif 000017
【図１６】
2007086456.tif 000018
【国際調査報告】
2007086456.tif 000019
2007086456.tif 000020
2007086456.tif 000021
2007086456.tif 000022